(57)【要約】【課題】ＯＡ機器のディスプレイに、利用者各個人の視力に適合した見易い画面表示を自動的にできるＯＡシステム、その画面情報最適化方法、サーバコンピュータ、プログラムを提供する。【解決手段】サーバコンピュータ２は、利用者ＩＤに対する画面情報（解像度、輝度、色合い）を登録する個人情報データベース２２２を設け、個人情報データベース２２２を検索して利用者ＩＤから利用者個人の画面情報を抽出し、抽出した画面情報から利用者個人の最適画面を生成し、生成した最適画面情報を端末装置３へ送信する。【選択図】      図１
2006059048.tif 000002
【特許請求の範囲】
【請求項１】
サーバコンピュータと複数のＯＡ機器とをネットワークで接続し情報を送受信するＯＡシステムであって、前記サーバコンピュータは、利用者特性情報に対する前記ＯＡ機器の標準画面情報と利用者個人に対する前記ＯＡ機器の画面情報とを記憶する記憶手段と、前記標準画面情報と前記画面情報とを管理する管理部と、前記ＯＡ機器との間で情報を送受信する第１送受信手段とを有し、前記管理部は、前記標準画面情報からサンプル画面を生成するサンプル画面生成手段と、前記画面情報から利用者個人の最適画面を生成する最適画面生成手段とを有し、前記ＯＡ機器は、前記利用者特性情報を入力する手段と、前記サンプル画面生成手段で生成した前記サンプル画面を受信し表示するサンプル画面表示手段と、前記サンプル画面を参照して前記画面情報を選択する画面情報選択手段と、前記画面情報を決定する画面情報決定手段と、決定した前記画面情報を前記サーバコンピュータへ送信する第２送受信手段とを有することを特徴とするＯＡシステム。
【請求項２】
前記記憶手段は、外部記憶装置を有し、前記外部記憶装置は、前記標準画面情報を格納する標準情報データベースと、前記画面情報を格納する個人情報データベースとを有することを特徴とする請求項１記載のＯＡシステム。
【請求項３】
前記外部記憶装置は、磁気ディスク装置または光ディスク装置を有することを特徴とする請求項２記載のＯＡシステム。
【請求項４】
前記管理部は、前記サンプル画面生成手段と前記最適画面生成手段とに加え、前記標準画面情報を標準情報データベースに登録する標準情報登録手段と、前記標準情報データベースを検索して前記利用者特性情報に対応する前記標準画面情報を抽出する利用者標準画面検索手段と、利用者個人の前記画面情報を個人情報データベースに登録する個人情報登録手段と、前記個人情報データベースを検索して利用者個人の前記画面情報を抽出する個人画面検索手段とを有することを特徴とする請求項１乃至３の何れか１項記載のＯＡシステム。
【請求項５】
前記利用者特性情報は、年齢情報と視力情報とを有することを特徴とする請求項１記載のＯＡシステム。
【請求項６】
前記画面情報は、解像度情報と輝度情報とを有することを特徴とする請求項１乃至４の何れか１項記載のＯＡシステム。
【請求項７】
前記個人情報データベースは、利用者識別情報を有することを特徴とする請求項２乃至４の何れか１項記載のＯＡシステム。
【請求項８】
前記サーバコンピュータは、前記ＯＡ機器を起動時に前記最適画面情報を前記ＯＡ機器へ送信することを特徴とする請求項１記載のＯＡシステム。
【請求項９】
前記標準画面情報は、予め前記標準情報データベースに登録しておくことを特徴とする請求項１記載のＯＡシステム。
【請求項１０】
前記画面情報選択手段は、前記画面情報を選択する表示部を有することを特徴とする請求項１記載のＯＡシステム。
【請求項１１】
サーバコンピュータと複数のＯＡ機器とをネットワークで接続し情報を送受信するＯＡシステムの画面情報最適化方法であって、前記サーバコンピュータは、利用者特性情報に対する前記ＯＡ機器の標準画面情報を登録する標準情報データベースと利用者個人に対する前記ＯＡ機器の画面情報を登録する個人情報データベースとを有する外部記憶装置と、前記標準画面情報と前記画面情報とを管理する管理部と、前記ＯＡ機器との間で情報を送受信する第１送受信手段とを有し、前記管理部は、前記標準画面情報からサンプル画面生成手段によりサンプル画面を生成するステップと、前記画面情報から最適画面生成手段により利用者個人の最適画面を生成するステップとを有し、前記ＯＡ機器は、前記利用者特性情報を入力するステップと、前記サンプル画面生成手段で生成した前記サンプル画面を受信しサンプル画面表示手段により表示するステップと、前記サンプル画面を参照して画面情報選択手段により前記画面情報を選択するステップと、画面情報決定手段により前記画面情報を決定するステップと、決定した前記画面情報を第２送受信手段により前記サーバコンピュータへ送信するステップとを有し、前記サーバコンピュータは、前記ＯＡ機器を起動時に前記第１送受信手段を介して前記ＯＡ機器へ前記最適画面情報を送信するステップを有することを特徴とするＯＡシステムの画面情報最適化方法。
【請求項１２】
前記管理部は、前記サンプル画面を生成するステップと前記最適画面を生成するステップとに加え、標準情報登録手段により前記標準画面情報を標準情報データベースに登録するステップと、利用者標準画面検索手段により前記標準情報データベースを検索して前記利用者特性情報に対応する前記標準画面情報を抽出するステップと、個人情報登録手段により利用者個人の前記画面情報を個人情報データベースに登録するステップと、個人画面検索手段により前記個人情報データベースを検索して利用者個人の前記画面情報を抽出するステップとを有することを特徴とする請求項１１項記載のＯＡシステムの画面情報最適化方法。
【請求項１３】
前記外部記憶装置は、磁気ディスク装置または光ディスク装置を有することを特徴とする請求項１１記載のＯＡシステムの画面情報最適化方法。
【請求項１４】
前記利用者特性情報は、年齢情報と視力情報とを有することを特徴とする請求項１１または１２記載のＯＡシステムの画面情報最適化方法。
【請求項１５】
前記画面情報は、解像度情報と輝度情報とを有することを特徴とする請求項１１または１２記載のＯＡシステムの画面情報最適化方法。
【請求項１６】
前記個人情報データベースは、利用者識別情報を有することを特徴とする請求項１１または１２記載のＯＡシステムの画面情報最適化方法。
【請求項１７】
複数のＯＡ機器とネットワークで接続し情報を送受信するサーバコンピュータであって、利用者特性情報に対する前記ＯＡ機器の標準画面情報を登録する標準情報データベースと利用者個人に対する前記ＯＡ機器の画面情報を登録する個人情報データベースとを有する外部記憶装置と、前記標準画面情報と前記画面情報とを管理する管理部と、前記ＯＡ機器との間で情報を送受信する第１送受信手段とを有し、前記管理部は、前記標準画面情報を標準情報データベースに登録する標準情報登録手段と、前記標準情報データベースを検索して前記利用者特性情報に対応する前記標準画面情報を抽出する利用者標準画面検索手段と、前記標準画面情報からサンプル画面を生成するサンプル画面生成手段と、利用者個人の前記画面情報を個人情報データベースに登録する個人情報登録手段と、前記個人情報データベースを検索して利用者個人の前記画面情報を抽出する個人画面検索手段と、抽出した前記画面情報から利用者個人の最適画面を生成する最適画面生成手段とを有し、前記ＯＡ機器を起動時に前記最適画面情報を前記ＯＡ機器へ送信する手段を有することを特徴とするサーバコンピュータ。
【請求項１８】
前記利用者特性情報は、年齢情報と視力情報とを有することを特徴とする請求項１７記載のサーバコンピュータ。
【請求項１９】
利用者特性情報に対するＯＡ機器の標準画面情報を登録する標準情報データベースと利用者個人に対する前記ＯＡ機器の画面情報を登録する個人情報データベースとを有する外部記憶装置と、前記標準画面情報と前記画面情報とを管理する管理部と、前記ＯＡ機器との間で情報を送受信する第１送受信手段とを有し、複数の前記ＯＡ機器とネットワークで接続し情報を送受信するサーバコンピュータのプログラムであって、コンピュータを、前記標準画面情報を標準情報データベースに登録する標準情報登録手段と、前記標準情報データベースを検索して前記利用者特性情報に対応する前記標準画面情報を抽出する利用者標準画面検索手段と、前記標準画面情報からサンプル画面を生成するサンプル画面生成手段と、利用者個人の前記画面情報を個人情報データベースに登録する個人情報登録手段と、前記個人情報データベースを検索して利用者個人の前記画面情報を抽出する個人画面検索手段と、抽出した前記画面情報から利用者個人の最適画面を生成する最適画面生成手段と、前記ＯＡ機器を起動時に前記最適画面情報を前記ＯＡ機器へ送信する手段として機能させるためのプログラム。
【請求項２０】
前記ＯＡ機器は、表示画面をプリンタで印刷するためのプリンタドライバを有し、前記プリンタドライバは、解像度情報とリンクするデータ拡大／縮小処理手段を有することを特徴とする請求項１記載のＯＡシステム。
【発明の詳細な説明】
【技術分野】
【０００１】
本発明は、ＯＡシステム、その画面情報最適化方法、サーバコンピュータ、プログラムに関し、特に、ＯＡシステムのディスプレイ表示、印刷文字を各個人の視力に合致した最適な状態に自動的に補正できるＯＡシステム、その画面情報最適化方法、サーバコンピュータ、プログラムに関する。
【背景技術】
【０００２】
情報処理社会の進展、普及に伴い、現在コンピュータを利用している者は、多数あり、且つ、幅広い年齢層に亘っている。従って、コンピュータに対する知識度合いは、利用者の間で大きく異なっている。また、利用者の身体的特性、特に、視力は、各々個人で異なっている。
【０００３】
毎日コンピュータのディスプレイを見る作業を行う者にとって、視力の低下は非常に深刻な問題となる。作業効率を落とさないためにも、自動的に各個人に合った作業環境の構築が必要となる。
【０００４】
通常、コンピュータ利用者は、ディスプレイを見る都度、ディスプレイの解像度の設定値を変更することにより、各利用者にとって見易いように調整している。調整作業は、短時間の作業ではあるが、煩わしいものである。
【０００５】
そこで、利用者は、画面（ディスプレイ）の解像度を変更するためにＯＳ（オペレーティングシステム）の操作に関する知識が無くても、自動的に画面の解像度を変更するものがある（例えば、特許文献１参照。）。
【０００６】
特許文献１の技術は、画面解像度の制御を行うプログラムは、自動起動かメニュー起動かの起動識別情報を持つ。プログラムが起動するときＯＳから現状の解像度の情報を取得し、保存した後にＯＳに新しく変更する解像度の設定を行わせる。現状復帰指示の通知を受け起動前の画面解像度に復帰する。プログラムにより画面の解像度を自動的に変更することで、利用者は、画面の解像度を変更するための知識を必要としないことになる。
【０００７】
上記技術は、利用者とコンピュータとを１対１で対応付け、プログラムにより当該コンピュータの解像度を自動的に変更する。従って、複数のコンピュータが存在する環境（例えば、パソコン教室など）において、利用者が任意のコンピュータを利用する場合は、再度設定し直す必要がある。
【０００８】
また、情報配信サーバは、クライアント情報機器を使用するブラウザの状況やユーザの年齢、職業、嗜好、さらには身体的な状況に適合した情報をユーザ側に提供するものもある（例えば、特許文献２参照。）。
【０００９】
特許文献２の技術は、情報配信サーバは、配信情報を蓄えるデータベース部と、クライアント情報機器の状況とそれを使用するユーザの状況の少なくとも一方の状況を把握し、把握結果に適合した情報を出力する配信情報処理部と、情放送受信制御部とを備える。ユーザからの情報送信要求に対応する情報に対し、クライアント情報機器の状況とユーザの状況の少なくとも一方の状況に適合した情報を、クライアント情報機器に送信する。
【００１０】
クライアント情報機器は、使用するユーザの個人情報を登録するユーザ個人情報登録部と、ユーザ個人情報登録部に加え個人情報を登録する個人識別カードの内容を読み取るカード読み取り部と、ユーザ個人情報を取り出すと共にブラウザの状況を認識するクライアント情報認識部とを備える。
【００１１】
上記構成により、情報配信サーバは、無駄な情報を大量に送信するのを防止し、クライアント情報機器のユーザは、情報の絞り込み作業を軽減できることになる。
【００１２】
上記技術は、クライアント情報認識部は、ユーザ個人情報と個々のユーザに最適なブラウザの状況を示す情報とを対応付けて管理していないため、情報配信サーバからの送信情報は、クライアント情報機器を使用する全てのユーザにとって必ずしも適合することにならない。例えば、複数のコンピュータが存在する環境において、利用者が任意のコンピュータを利用する場合は、ユーザが自分に最適なブラウザの状況（例えば、解像度）に変更処理をしないとき、前回の利用者の解像度情報を情報配信サーバへ送信する。解像度情報を受信した情報配信サーバは、前回の利用者の解像度情報に基付いて送信情報を決定するためである。
【００１３】
【特許文献１】特開２０００ー０１０５３４号公報
【特許文献２】特開平１１ー２７２５７４号公報
【発明の開示】
【発明が解決しようとする課題】
【００１４】
ディスプレイを見る都度、コンピュータ利用者にとって見易いように手動操作でディスプレイの解像度の設定値を変更する調整作業は、短時間の作業ではあるが、煩わしいという課題がある。
【００１５】
画面の解像度を変更するための知識を必要としない特許文献１の技術は、利用者とコンピュータとを１対１で対応付け、プログラムにより当該コンピュータの解像度を自動的に変更する。従って、複数のコンピュータが存在する環境において、利用者が任意のコンピュータを利用する場合は、再度設定し直す必要がある。
【００１６】
また、特許文献２の技術は、クライアント情報機器のクライアント情報認識部は、ユーザ個人情報と個々のユーザに最適なブラウザの状況を示す情報とを対応付けて管理していないため、情報配信サーバからの送信情報は、クライアント情報機器を使用する全てのユーザにとって必ずしも適合しないという課題がある。
【００１７】
本発明の目的は、上記課題を解決すべく、サーバコンピュータは、利用者個人に対する画面情報（解像度、輝度）を登録する個人情報データベースを設ける。個人情報データベースを検索して利用者識別情報から利用者個人の画面情報を抽出し、抽出した画面情報から利用者個人の最適画面を生成する。生成した最適画面をＯＡ機器へ送信する。ＯＡ機器は、利用者各個人の視力に適合した見易い画面表示を自動的にできるＯＡシステム、その画面情報最適化方法、サーバコンピュータ、プログラムを提供することにある。
【課題を解決するための手段】
【００１８】
本発明のＯＡシステムは、サーバコンピュータと複数のＯＡ機器とをネットワークで接続し情報を送受信するＯＡシステムであって、サーバコンピュータは、利用者特性情報に対するＯＡ機器の標準画面情報と利用者個人に対するＯＡ機器の画面情報とを記憶する記憶手段と、標準画面情報と画面情報とを管理する管理部と、ＯＡ機器との間で情報を送受信する第１送受信手段とを有し、管理部は、標準画面情報からサンプル画面を生成するサンプル画面生成手段と、画面情報から利用者個人の最適画面を生成する最適画面生成手段とを有し、ＯＡ機器は、利用者特性情報を入力する手段と、サンプル画面生成手段で生成したサンプル画面を受信し表示するサンプル画面表示手段と、サンプル画面を参照して画面情報を選択する画面情報選択手段と、画面情報を決定する画面情報決定手段と、決定した画面情報をサーバコンピュータへ送信する第２送受信手段とを有することを特徴とする。
【００１９】
記憶手段は、外部記憶装置を有し、外部記憶装置は、標準画面情報を格納する標準情報データベースと、画面情報を格納する個人情報データベースとを有することを特徴とする。
【００２０】
外部記憶装置は、磁気ディスク装置または光ディスク装置を有することを特徴とする。
【００２１】
管理部は、サンプル画面生成手段と最適画面生成手段とに加え、標準画面情報を標準情報データベースに登録する標準情報登録手段と、標準情報データベースを検索して利用者特性情報に対応する標準画面情報を抽出する利用者標準画面検索手段と、利用者個人の画面情報を個人情報データベースに登録する個人情報登録手段と、個人情報データベースを検索して利用者個人の画面情報を抽出する個人画面検索手段とを有することを特徴とする。
【００２２】
利用者特性情報は、年齢情報と視力情報とを有することを特徴とする。
【００２３】
画面情報は、解像度情報と輝度情報とを有することを特徴とする。
【００２４】
個人情報データベースは、利用者識別情報を有することを特徴とする。
【００２５】
サーバコンピュータは、ＯＡ機器を起動時に最適画面情報をＯＡ機器へ送信することを特徴とする。
【００２６】
標準画面情報は、予め標準情報データベースに登録しておくことを特徴とする。
【００２７】
画面情報選択手段は、画面情報を選択する表示部を有することを特徴とする。
【００２８】
本発明のＯＡシステムの画面情報最適化方法は、サーバコンピュータと複数のＯＡ機器とをネットワークで接続し情報を送受信するＯＡシステムの画面情報最適化方法であって、サーバコンピュータは、利用者特性情報に対するＯＡ機器の標準画面情報を登録する標準情報データベースと利用者個人に対するＯＡ機器の画面情報を登録する個人情報データベースとを有する外部記憶装置と、標準画面情報と画面情報とを管理する管理部と、ＯＡ機器との間で情報を送受信する第１送受信手段とを有し、管理部は、標準画面情報からサンプル画面生成手段によりサンプル画面を生成するステップと、画面情報から最適画面生成手段により利用者個人の最適画面を生成するステップとを有し、ＯＡ機器は、利用者特性情報を入力するステップと、サンプル画面生成手段で生成したサンプル画面を受信しサンプル画面表示手段により表示するステップと、サンプル画面を参照して画面情報選択手段により画面情報を選択するステップと、画面情報決定手段により画面情報を決定するステップと、決定した画面情報を第２送受信手段によりサーバコンピュータへ送信するステップとを有し、サーバコンピュータは、ＯＡ機器を起動時に第１送受信手段を介してＯＡ機器へ最適画面情報を送信するステップを有することを特徴とする。
【００２９】
管理部は、サンプル画面を生成するステップと最適画面を生成するステップとに加え、標準情報登録手段により標準画面情報を標準情報データベースに登録するステップと、利用者標準画面検索手段により標準情報データベースを検索して利用者特性情報に対応する標準画面情報を抽出するステップと、個人情報登録手段により利用者個人の画面情報を個人情報データベースに登録するステップと、個人画面検索手段により個人情報データベースを検索して利用者個人の画面情報を抽出するステップとを有することを特徴とする。
【００３０】
外部記憶装置は、磁気ディスク装置または光ディスク装置を有することを特徴とする。
【００３１】
利用者特性情報は、年齢情報と視力情報とを有することを特徴とする。
【００３２】
画面情報は、解像度情報と輝度情報とを有することを特徴とする。
【００３３】
個人情報データベースは、利用者識別情報を有することを特徴とする。
【００３４】
本発明のサーバコンピュータは、複数のＯＡ機器とネットワークで接続し情報を送受信するサーバコンピュータであって、利用者特性情報に対するＯＡ機器の標準画面情報を登録する標準情報データベースと利用者個人に対するＯＡ機器の画面情報を登録する個人情報データベースとを有する外部記憶装置と、標準画面情報と画面情報とを管理する管理部と、ＯＡ機器との間で情報を送受信する第１送受信手段とを有し、管理部は、標準画面情報を標準情報データベースに登録する標準情報登録手段と、標準情報データベースを検索して利用者特性情報に対応する標準画面情報を抽出する利用者標準画面検索手段と、標準画面情報からサンプル画面を生成するサンプル画面生成手段と、利用者個人の画面情報を個人情報データベースに登録する個人情報登録手段と、個人情報データベースを検索して利用者個人の画面情報を抽出する個人画面検索手段と、抽出した画面情報から利用者個人の最適画面を生成する最適画面生成手段とを有し、ＯＡ機器を起動時に最適画面情報をＯＡ機器へ送信する手段を有することを特徴とする。
【００３５】
利用者特性情報は、年齢情報と視力情報とを有することを特徴とする。
【００３６】
本発明のプログラムは、利用者特性情報に対するＯＡ機器の標準画面情報を登録する標準情報データベースと利用者個人に対するＯＡ機器の画面情報を登録する個人情報データベースとを有する外部記憶装置と、標準画面情報と画面情報とを管理する管理部と、ＯＡ機器との間で情報を送受信する第１送受信手段とを有し、複数のＯＡ機器とネットワークで接続し情報を送受信するサーバコンピュータのプログラムであって、コンピュータを、標準画面情報を標準情報データベースに登録する標準情報登録手段と、標準情報データベースを検索して利用者特性情報に対応する標準画面情報を抽出する利用者標準画面検索手段と、標準画面情報からサンプル画面を生成するサンプル画面生成手段と、利用者個人の画面情報を個人情報データベースに登録する個人情報登録手段と、個人情報データベースを検索して利用者個人の画面情報を抽出する個人画面検索手段と、抽出した画面情報から利用者個人の最適画面を生成する最適画面生成手段と、ＯＡ機器を起動時に最適画面情報をＯＡ機器へ送信する手段として機能させることを特徴とする。
【００３７】
本発明のＯＡシステムは、ＯＡ機器は、表示画面をプリンタで印刷するためのプリンタドライバを有し、プリンタドライバは、解像度情報とリンクするデータ拡大／縮小処理手段を有することを特徴とする。
【発明の効果】
【００３８】
ＯＡシステムのディスプレイ（画面）表示を各個人の視力に合った見易い解像度、輝度で自動的に表示できるため、利用者は、煩わしい画面調整作業を行うことなく、各個人に適合した作業環境の構築ができるという効果がある。
【発明を実施するための最良の形態】
【００３９】
次に、本発明を実施するための最良の形態について、図面を参照して説明する。
【００４０】
図１は、本発明のＯＡシステム１の第１の実施の形態を示す概略構成ブロック図、図２と図３とは、各々図１中の標準情報データベース２２１（標準情報ＤＢ）、個人情報データベース２２２（個人情報ＤＢ）の内容を説明するための図である。
【００４１】
図１を参照すると、ＯＡシステム１は、サーバコンピュータ２（以下、サーバ２と称す）と、複数の端末装置３（ＯＡ機器）とをネットワーク４で接続して構成する。端末装置３は、具体的にはパーソナルコンピュータである。
【００４２】
サーバ２は、管理部２１と、磁気ディスク装置２２と、端末装置３との間で情報を送受信する第１送受信手段２３とで構成する。
【００４３】
磁気ディスク装置２２は、利用者特性情報に対する端末装置３の標準画面情報を格納する標準情報データベース２２１と、利用者個人に対する端末装置３の画面情報を格納する個人情報データベース２２２とを備える。なお、外部記憶装置として磁気ディスク装置２２に換え、光ディスク装置を設けてもよい。
【００４４】
管理部２１は、標準画面情報を標準情報データベース２２１に登録する標準情報登録手段２１１と、標準情報データベース２２１を検索して利用者特性情報に対応する標準画面情報を抽出する利用者標準画面検索手段２１２と、標準画面情報からサンプル画面（図示せず）を生成するサンプル画面生成手段２１３と、利用者個人の画面情報を個人情報データベース２２２に登録する個人情報登録手段２１４と、個人情報データベース２２２を検索して利用者個人の画面情報を抽出する個人画面検索手段２１５と、抽出した画面情報から利用者個人の最適画面（図示せず）を生成する最適画面生成手段２１６とで構成する。
【００４５】
端末装置３は、利用者特性情報を入力する利用者特性情報入力手段３１と、サンプル画面生成手段で生成したサンプル画面を受信し表示するサンプル画面表示手段３２と、サンプル画面を参照して画面情報を選択する画面情報選択手段３３と、画面情報を決定する画面情報決定手段３４と、決定した画面情報をサーバ２へ送信する第２送受信手段３５とで構成する。
【００４６】
図２を参照すると、標準情報データベース２２１は、視力と年齢とに対する標準的な画面の解像度、輝度、色合いのデータをマトリックス状に格納する。標準的な画面の解像度、輝度、色合いのデータは、予め統計的手法により求めて標準情報登録手段２１１により登録したデータである。標準的画面データは、該当する視力と年齢の利用者にとって、各個人差はあるものの平均的には端末装置３の見易い画面情報である。なお、図中、Ｘ１１〜Ｘｍｎは解像度、Ｙ１１〜Ｙｍｎは輝度、Ｚ１１〜Ｚｍｎは色合いを各々示す。
【００４７】
図３を参照すると、個人情報データベース２２２は、利用者識別情報（利用者ＩＤ）に対する最適な画面情報（解像度、輝度、色合い）を格納する。
【００４８】
次に、上述のように構成したＯＡシステム１の動作について、図面を参照して説明する。
【００４９】
まず、利用者に最適な画面情報をサーバ２へ登録する動作について、図面を参照して説明する。
【００５０】
図４は、端末装置３から利用者に最適な画面情報をサーバ２へ登録する動作を説明するためのフローチャートである。
【００５１】
図４を参照すると、端末装置３の利用者は、サーバ２へログインするとき、利用者識別情報（利用者ＩＤ）と、年齢と、視力とを入力する（Ｓ１１）。
【００５２】
サーバ２の管理部２１は、端末装置３からの入力情報を受信し、利用者標準画面検索手段２１２により、標準情報データベース２２１を検索し、利用者の年齢と視力とに対応する標準画面情報（解像度、輝度、色合い）を抽出する（Ｓ１２）。
【００５３】
管理部２１は、抽出した標準画面情報からサンプル画面生成手段２１３によりサンプル画面を生成する。サーバ２は、生成したサンプル画面を第１送受信手段２３を介して端末装置３へ送信する（Ｓ１３）。
【００５４】
端末装置３は、第２送受信手段３５を介してサンプル画面を受信し、サンプル画面表示手段３２によりディスプレイ（図示しないＬＣＤ、ＣＲＴなど）上にサンプル画面を表示する（Ｓ１４）。
【００５５】
利用者は、画面情報選択手段３３により、サンプル画面の解像度、輝度、色合いをベースに、解像度、輝度、色合いを自分が見易いものに手動で選択する（Ｓ１５）。ここに、画面情報選択手段３３は、サンプル画面を参照して画面情報を選択するための解像度、輝度、色合いの表示部（図示せず）をサンプル画面の一部に設けている。
【００５６】
利用者は、自分に最適な見易い解像度、輝度、色合いを選択後、画面情報決定手段３４により画面情報を決定する。端末装置３は、決定した情報をサーバ２へ送信する（Ｓ１６）。
【００５７】
サーバ２は、決定した画面情報を受信し、各利用者ＩＤに対して最適な画面情報を格納する形式で、個人情報登録手段２１４により個人情報データベース２２２に登録する（Ｓ１７）。
【００５８】
なお、利用者は、年齢を重ねると共に、視力に変化（近眼、遠視、乱視）をきたすことがある。そこで、変化に対応すべく、サーバ２に図示しないカレンダー（タイマーでもよい）を備えておく。上記（Ｓ１１）で利用者の年齢と視力とを入力後、１年以上経過したことをカレンダーで検出する。１年以上の経過を検出すると、利用者の最適な画面情報を変更すべく、上記（Ｓ１１）〜（Ｓ１７）を実行し、個人情報データベース２２２に再登録する。
【００５９】
次に、利用者に最適な画面情報をサーバ２へ登録後のＯＡシステム１の動作について、図面を参照して説明する。
【００６０】
図５は、画面情報を登録後のＯＡシステム１の動作を説明するためのフローチャートである。
【００６１】
図５を参照すると、利用者は、端末装置３を起動してサーバ２にログインするため、利用者ＩＤを入力する（Ｓ２１）。
【００６２】
−サーバ２は、個人画面検索手段２１５により、個人情報データベース２２２を検索し、利用者ＩＤに対応する画面情報を抽出する（Ｓ２２）。
【００６３】
サーバ２は、最適画面生成手段２１６により、抽出した画面情報から利用者の最適画面を生成し（Ｓ２３）、生成した最適画面と画面情報とを端末装置３へ送信する（Ｓ２４）。
【００６４】
端末装置３は、最適画面と画面情報とを受信し、利用者に最適な見易い解像度、輝度、色合いでディスプレイに最適画面を表示する（Ｓ２５）。
【００６５】
上述のＯＡシステム１は、利用者個人に対する最適な画面情報（解像度、輝度、色合い）を登録する個人情報データベース２２２をサーバ２に設けている。従って、複数の端末装置３（コンピュータ）が存在する環境において、利用者が任意の異なる端末装置３を利用する場合にも、利用者は、画面情報を再度設定し直す必要がない。また、全てのユーザは、どの端末装置３を利用しても、利用者各個人の視力に適合した見易い画面表示の環境を自動的に実現できることになる。
［発明の他の実施の形態］
次に、本発明の第２の実施の形態について、図面を参照して説明する。
【００６６】
図６は、本発明のＯＡシステム１０の第２の実施の形態を示す概略構成ブロック図、図７は、印刷データの拡大／縮小を説明するための図である。なお、第１の実施の形態と同一構成要素は同一符号で表記している。
【００６７】
第２の実施の形態が第１の実施の形態と異なる点は、ネットワーク４にＯＡ機器としてプリンタ５を接続し、磁気ディスク装置２２に更にプリンタドライバ５１を格納した点である。
【００６８】
以下、第１の実施の形態と異なる点についてのみ説明する。
【００６９】
図６を参照すると、ＯＡシステム１０は、サーバコンピュータ２（以下、サーバ２と称す）と、複数の端末装置３（ＯＡ機器）と、プリンタ５とをネットワーク４で接続して構成する。磁気ディスク装置２２は、プリンタドライバ５１を格納する。
【００７０】
端末装置３は、予めサーバ２からダウンロードした、プリンタ５で印刷するために必要な専用のプリンタドライバ５１と、解像度リンク手段５２とを備えて構成する。
【００７１】
図７を参照すると、プリンタドライバ５１は、データ５５を印刷データに変換する印刷データ変換処理部５１１と、印刷データを拡大／縮小するデータ拡大／縮小処理部５１２とを有する。データ拡大／縮小処理部５１２は、解像度リンク手段５２で取得した解像度情報に対応してデータの拡大／縮小処理を行う。例えば、解像度が低いとき、即ち、通常より印刷サイズが大きくなる場合には、印刷されるデータを拡大する（印刷データ５７参照）。解像度が高いとき、即ち、通常より印刷サイズが小さい場合には、印刷されるデータを縮小する（印刷データ５６参照）。
【００７２】
次に、図８を参照して、端末装置３へサーバ２からプリンタドライバ５１をインストールする動作について、簡単に説明する。
【００７３】
利用者は、サーバ２のプリンタドライバ５１をダウンロードする操作を実行する（Ｓ８１）。サーバ２は、磁気ディスク装置２２からプリンタドライバ５１を読み出し、端末装置３へ送信する（Ｓ８２）。端末装置３は、受信したプリンタドライバ５１を図示しない磁気ディスク装置へ格納（インストール）する（Ｓ８３）。
【００７４】
次に、図９および図７を参照して、端末装置３から印刷を実行するときの動作について説明する。
【００７５】
端末装置３から印刷を開始する（Ｓ９１）と、プリンタドライバ５１にデータ５５を送信する。印刷データ変換処理部５１１は、受信データ５５を印刷データに変換する。このとき、解像度リンク手段５２は、解像度情報を取得する（Ｓ９２）。既述の図５の（Ｓ２５）におけるサーバ２から受信した画面情報の解像度情報を取得する。
【００７６】
データ拡大／縮小処理部５１２は、印刷データに変換したデータを、解像度リンク手段５２で取得した解像度情報に対応してデータの拡大／縮小処理を行う（Ｓ９３）。
【００７７】
端末装置３は、拡大／縮小処理を行った印刷データをネットワーク４を介してプリンタ５へ送信する（Ｓ９４）。プリンタは５、印刷データの印刷を実行する（Ｓ９５）。
【００７８】
上述のＯＡシステム１０は、自分の視力に適合する解像度に拡大／縮小して印刷を行うことができる。従って、印刷した資料の文字を読み難いということがなくなり、視力的な衰えがあっても円滑に作業を実施できる。
【図面の簡単な説明】
【００７９】
【図１】本発明のＯＡシステムの第１の実施の形態を示す概略構成ブロック図である。
【図２】図１中の標準情報データベースの内容を説明するための図である。
【図３】図１中の個人情報データベースの内容を説明するための図である。
【図４】端末装置から利用者に最適な画面情報をサーバへ登録する動作を説明するためのフローチャートである。
【図５】画面情報を登録後のＯＡシステムの動作を説明するためのフローチャートである。
【図６】本発明のＯＡシステムの第２の実施の形態を示す概略構成ブロック図である。
【図７】印刷データの拡大／縮小を説明するための図である。
【図８】プリンタドライバをインストールする動作を説明するためのフローチャートである。
【図９】印刷を実行するときの動作を説明するためのフローチャートである。
【符号の説明】
【００８０】
１、１０    ＯＡシステム
２    サーバ
２１    管理部
２１１    標準情報登録手段
２１２    利用者標準画面検索手段
２１３    サンプル画面生成手段
２１４    個人情報登録手段
２１５    個人画面検索手段
２１６    最適画面生成手段
２２    磁気ディスク装置
２２１    標準情報データベース
２２２    個人情報データベース
２３    第１送受信手段
３    端末装置
３１    利用者特性情報入力手段
３２    サンプル画面表示手段
３３    画面情報選択手段
３４    画面情報決定手段
４    ネットワーク
５    プリンタ
５１    プリンタドライバ
５１１    印刷データ変換処理部
５１２    データ拡大／縮小処理部
５２    解像度リンク手段
５５    データ
５６、５７    印刷データ
【図１】
2006059048.tif 000003
【図２】
2006059048.tif 000004
【図３】
2006059048.tif 000005
【図４】
2006059048.tif 000006
【図５】
2006059048.tif 000007
【図６】
2006059048.tif 000008
【図７】
2006059048.tif 000009
【図８】
2006059048.tif 000010
【図９】
2006059048.tif 000011